(57)【要約】【課題】再生データの再生を行いながら容易に他の再生データを検索することのできる電子機器、電子機器の制御方法及びプログラムを提供する。【解決手段】操作部４と、表示部３と、音声処理部２３と、指示信号に基づいて、表示部３に対する表示動作制御及び音声処理部２３に対する再生動作制御を行う制御部２０と、を備えた携帯型音声再生装置１において、操作部４は、同一の操作キー５に対する複数段階の入力操作に対応して第１の指示信号および第２の指示信号を含む複数段階の指示信号を出力し、制御部２０は、指示信号が第１指示信号である場合に、音声処理部２３に現在再生中の再生データの再生動作を継続させるとともに表示部３に表示された検索項目データをスクロールさせ、指示信号が第２指示信号である場合に、音声処理部２３に現在再生中の再生データに代えて検索項目の中から選択された再生データを再生させる。【選択図】図５
2007095184.tif 000002
【特許請求の範囲】
【請求項１】
操作キーを備え入力操作に対応して指示信号を出力する操作手段と、再生データの検索項目データを表示する表示手段と、前記再生データを再生する再生手段と、前記指示信号に基づいて、前記表示手段に対する表示動作制御及び前記再生手段に対する再生動作制御を行う制御手段と、を備えた電子機器において、
前記操作手段は、同一の操作キーに対する複数段階の入力操作に対応して第１の指示信号および第２の指示信号を含む複数段階の指示信号を出力し、
前記制御手段は、前記指示信号が第１の指示信号である場合に、前記再生手段に現在再生中の再生データの再生動作を継続させるとともに前記表示手段に表示された検索項目データをスクロールさせ、前記指示信号が第２の指示信号である場合に、前記再生手段に現在再生中の再生データに代えて前記検索項目の中から選択された再生データを再生させることを特徴とする電子機器。
【請求項２】
前記制御手段は、計時手段を備え、
前記制御手段は、前記計時手段による計時結果に基づき、前記第１の指示信号が出力されてからの経過時間が所定時間以上であると判断するときは前記検索項目データを連続的にスクロールさせ、前記第１の指示信号が出力されてからの経過時間が所定時間未満であると判断するときは前記検索項目データを一項目ずつスクロールさせるように前記検索項目データのスクロールを制御することを特徴とする請求項１に記載の電子機器。
【請求項３】
前記制御手段は、前記計時手段の計時結果に基づき、前記第２の指示信号が所定時間以上継続して出力されるときは順次選択される項目に対応する前記再生データの一部再生を連続的に行い、前記第２の指示信号の継続時間が所定時間未満であるときは前記第２の指示信号が出力された際に選択されている項目に対応する前記再生データついて通常再生を行うように前記再生データの再生を制御することを特徴とする請求項２に記載の電子機器。
【請求項４】
操作手段からの指示信号に基づいて再生データの再生を行うとともに、再生データの検索項目データを表示手段に表示させるようにした電子機器の制御方法において、
前記操作手段からの指示信号が第１の指示信号である場合、前記再生手段に現在再生中の再生データの再生動作を継続させるとともに前記表示手段に表示された検索項目データをスクロールさせるステップと、
前記指示信号が第２の指示信号である場合、前記再生手段に現在再生中の再生データに代えて前記検索項目の中から選択された再生データを再生させるステップと、
を含むことを特徴とする電子機器の制御方法。
【請求項５】
前記第１の指示信号が出力されてからの経過時間を計時手段によって計時し、
前記第１の指示信号が出力されてからの経過時間が所定時間以上であるときは前記検索項目データを連続的にスクロールし、前記第１の指示信号が出力されてからの経過時間が所定時間未満であるときは前記検索項目データを一項目ずつスクロールすることを特徴とする請求項４に記載の電子機器の制御方法。
【請求項６】
前記第２の指示信号が出力されてからの経過時間を計時手段によって計時し、
前記第２の指示信号が出力されてからの経過時間が所定時間以上であるときは順次選択される項目に対応する前記再生データの一部再生を連続的に行い、前記第２の指示信号が出力されてからの経過時間が所定時間未満であるときは前記第２の指示信号が出力された際に選択されている項目に対応する前記再生データついて通常再生を行うことを特徴とする請求項４又は請求項５に記載の電子機器の制御方法。
【請求項７】
操作手段からの指示信号に基づいて再生データの再生を行うとともに、再生データの検索項目データを表示手段に表示させるようにした電子機器のコンピュータに、
前記操作手段からの指示信号が第１の指示信号である場合、前記再生手段に現在再生中の再生データの再生動作を継続させるとともに前記表示手段に表示された検索項目データをスクロールさせる機能と、
前記指示信号が第２の指示信号である場合、前記再生手段に現在再生中の再生データに代えて前記検索項目の中から選択された再生データを再生させる機能と、
を実現させるためのプログラム。
【請求項８】
前記電子機器のコンピュータに、
前記第１の指示信号が出力されてからの経過時間が所定時間以上であるときに前記検索項目の表示を連続的にスクロールさせる機能と、
前記第１の指示信号が出力されてからの経過時間が所定時間未満であるときに前記検索項目の表示を一項目ずつスクロールさせる機能と、
を実現させることを特徴とする請求項７に記載のプログラム。
【請求項９】
前記電子機器のコンピュータに、
前記第２の指示信号が出力されてからの経過時間が所定時間以上であるときに順次選択される項目に対応する前記再生データの一部再生を連続的に行わせる機能と、
前記第２の指示信号が出力されてからの経過時間が所定時間未満であるときに前記第２の指示信号が出力された際に選択されている項目に対応する前記再生データついて通常再生を行う機能と、
を実現させることを特徴とする請求項７又は請求項８に記載のプログラム。
【発明の詳細な説明】
【技術分野】
【０００１】
本発明は、電子機器、電子機器の制御方法及びプログラムに関するものである。
【背景技術】
【０００２】
近年、小型の音楽再生装置や映像再生装置等、携帯可能な電子機器が広く知られている。このような電子機器には、例えば、複数の映像データや音楽等の音声データ等が半導体メモリやハードディスク（以下「ＨＤＤ」と称する。）等に格納さており、ユーザは様々な映像や音楽等を容易に持ち歩き、外出先等で楽しむことができる。
【０００３】
しかし他方で、多数の映像データや音声データ等の中から、ユーザが見たい映像や聴きたい音楽等を容易に検索することができなければ、自由に映像や音楽等を楽しむことができない。
【０００４】
そこで、従来、例えば、ある音声データを再生中に電子機器内に格納されている他の音声データを検索したいときには、現在再生中の音声データの再生を一旦停止させて検索項目を表示部に表示させ、検索項目の表示をスクロールさせる等により所望の検索項目を選択、決定する再生装置が提案されている（例えば、特許文献１参照）。また、この特許文献１には、検索項目名がアーティスト名、アルバム名である場合には、検索項目の決定前に、当該アーティスト名あるいはアルバム名のフォルダに属する音声データの曲頭部分等を連続して再生することも提案されている。
【０００５】
また、音声データの再生中に所定のキー操作が行われたときには、選択可能な音声データの項目を表示部上に順次スクロール表示し、この状態でキーが再び押されたときには、表示部上に現に表示されている項目が選択されて当該項目に対応する音声データが再生されるものも提案されている（例えば、特許文献２参照）。
【０００６】
また、専用キーが操作されると所定の再生時間の半分の時間ずつ音声データを再生（以下「ハーフ再生」と称する。）する再生装置が提案されており（例えば、特許文献３参照）、この特許文献３に記載の再生装置によれば、例えば、表示部に検索項目が表示されている状態で専用キーが押された場合、検索項目に挙がっている全ての音声データを所定の再生時間の半分の時間ずつ順次再生することも可能である。
【特許文献１】特開２００４−３２６９０７号公報
【特許文献２】特開平８−４５１７２号公報
【特許文献３】特開平８−２１２７６１号公報
【発明の開示】
【発明が解決しようとする課題】
【０００７】
しかしながら、特許文献１に記載の再生装置によれば、音声データを再生中に電子機器内に格納されている他の音声データを検索するためには、現在再生中の音声データの再生を一旦停止させる必要があるため、音声データの再生を行いながら検索を行うことはできなかった。また、検索項目名がアーティスト名、アルバム名である場合には、当該検索項目に表示されているアーティスト名あるいはアルバム名のフォルダに属する音声データの一部分が連続的に再生されるため、ユーザが検索項目に表示されているものの中から任意の項目（曲）を選択し、当該音声データの一部分を再生させて所望の曲かどうかを確認することができないため、検索に不便であるとの問題がある。
【０００８】
また、特許文献２に記載の再生装置によれば、音声データの再生を行いながら電子機器内の他の音声データを検索することは可能であるが、検索項目が表示部上に文字で表示されるのみであり、ユーザはその文字から音声データの内容を判断する他なく、音声データの一部分を再生させて確認することはできないため、所望の音声データを容易に検索することができないとの問題がある。
【０００９】
また、特許文献３に記載の再生装置によれば、検索項目の選択を行う選択キーと音声データをハーフ再生する専用キーとを別個に設けているため、各キーを個々に操作して音声データの選択とその選択された音声データのハーフ再生を行わなければならない。このため、操作が煩雑となるとの問題があった。
【００１０】
そこで、本発明は以上のような課題を解決するためになされたものであり、再生データの再生を行いながら容易に他の再生データを検索することのできる電子機器、電子機器の制御方法及びプログラムを提供することを目的とするものである。
【課題を解決するための手段】
【００１１】
このような問題を解決するため、請求項１に記載されている電子機器は、
操作キーを備え入力操作に対応して指示信号を出力する操作手段と、再生データの検索項目データを表示する表示手段と、前記再生データを再生する再生手段と、前指示信号に基づいて、前記表示手段に対する表示動作制御及び前記再生手段に対する再生動作制御を行う制御手段と、を備えた電子機器において、
前記操作手段は、同一の操作キーに対する複数段階の入力操作に対応して第１の指示信号および第２の指示信号を含む複数段階の指示信号を出力し、
前記制御手段は、前記指示信号が第１の指示信号である場合に、前記再生手段に現在再生中の再生データの再生動作を継続させるとともに前記表示手段に表示された検索項目データをスクロールさせ、前記指示信号が第２の指示信号である場合に、前記再生手段に現在再生中の再生データに代えて前記検索項目の中から選択された再生データを再生させることを特徴としている。
【００１２】
請求項２に記載されている発明は、請求項１に記載の電子機器において、
前記制御手段は、計時手段を備え、
前記制御手段は、前記計時手段による計時結果に基づき、前記第１の指示信号が出力されてからの経過時間が所定時間以上であると判断するときは前記検索項目データを連続的にスクロールさせ、前記第１の指示信号が出力されてからの経過時間が所定時間未満であると判断するときは前記検索項目データを一項目ずつスクロールさせるように前記検索項目データのスクロールを制御することを特徴としている。
【００１３】
請求項３に記載されている発明は、請求項２に記載の電子機器において、
前記制御手段は、前記計時手段の計時結果に基づき、前記第２の指示信号が所定時間以上継続して出力されるときは順次選択される項目に対応する前記再生データの一部再生を連続的に行い、前記第２の指示信号の継続時間が所定時間未満であるときは前記第２の指示信号が出力された際に選択されている項目に対応する前記再生データついて通常再生を行うように前記再生データの再生を制御することを特徴としている。
【００１４】
請求項４に記載されている電子機器の制御方法は、
操作手段からの指示信号に基づいて再生データの再生を行うとともに、再生データの検索項目データを表示手段に表示させるようにした電子機器の制御方法において、
前記操作手段からの指示信号が第１の指示信号である場合、前記再生手段に現在再生中の再生データの再生動作を継続させるとともに前記表示手段に表示された検索項目データをスクロールさせるステップと、
前記指示信号が第２の指示信号である場合、前記再生手段に現在再生中の再生データに代えて前記検索項目の中から選択された再生データを再生させるステップと、
を含むことを特徴としている。
【００１５】
請求項５に記載されている発明は、請求項４に記載の電子機器の制御方法において、
前記第１の指示信号が出力されてからの経過時間を計時手段によって計時し、
前記第１の指示信号が出力されてからの経過時間が所定時間以上であるときは前記検索項目データを連続的にスクロールし、前記第１の指示信号が出力されてからの経過時間が所定時間未満であるときは前記検索項目データを一項目ずつスクロールすることを特徴としている。
【００１６】
請求項６に記載されている発明は、請求項４又は請求項５に記載の電子機器の制御方法において、
前記第２の指示信号が出力されてからの経過時間を計時手段によって計時し、
前記第２の指示信号が出力されてからの経過時間が所定時間以上であるときは順次選択される項目に対応する前記再生データの一部再生を連続的に行い、前記第２の指示信号が出力されてからの経過時間が所定時間未満であるときは前記第２の指示信号が出力された際に選択されている項目に対応する前記再生データついて通常再生を行うことを特徴としている。
【００１７】
請求項７に記載されているプログラムは
操作手段からの指示信号に基づいて再生データの再生を行うとともに、再生データの検索項目データを表示手段に表示させるようにした電子機器のコンピュータに、
前記操作手段からの指示信号が第１の指示信号である場合、前記再生手段に現在再生中の再生データの再生動作を継続させるとともに前記表示手段に表示された検索項目データをスクロールさせる機能と、
前記指示信号が第２の指示信号である場合、前記再生手段に現在再生中の再生データに代えて前記検索項目の中から選択された再生データを再生させる機能と、
を実現させることを特徴としている。
【００１８】
請求項８に記載されている発明は、請求項７に記載のプログラムにおいて、
前記電子機器のコンピュータに、
前記第１の指示信号が出力されてからの経過時間が所定時間以上であるときに前記検索項目の表示を連続的にスクロールさせる機能と、
前記第１の指示信号が出力されてからの経過時間が所定時間未満であるときに前記検索項目の表示を一項目ずつスクロールさせる機能と、
を実現させることを特徴としている。
【００１９】
請求項９に記載されている発明は、請求項７又は請求項８に記載のプログラムにおいて、
前記電子機器のコンピュータに、
前記第２の指示信号が出力されてからの経過時間が所定時間以上であるときに順次選択される項目に対応する前記再生データの一部再生を連続的に行わせる機能と、
前記第２の指示信号が出力されてからの経過時間が所定時間未満であるときに前記第２の指示信号が出力された際に選択されている項目に対応する前記再生データついて通常再生を行う機能と、
を実現させることを特徴としている。
【発明の効果】
【００２０】
本発明によれば、操作手段には、押圧力の違い等により少なくとも２段階の入力操作が可能であり各段階に対応して少なくとも２種類の指示信号を出力する多段タクトキーが備わっているので、入力操作を異なる段階で行うことにより一つの操作キーで異種の指示信号を出力することができる。このため、複数の操作を一つの操作キーで行うことができ、その分電子機器に設ける操作キーの数を少なくすることができ、装置の小型軽量化を図ることができる。
【００２１】
また、現在再生中の再生データの再生を停止させずに検索項目の表示をスクロールさせるので、ユーザは再生を中断させることなく所望の再生データの検索を行うことができる。さらに、検索項目のうち選択された項目について一部再生を行うことができるので、単に検索項目の表示を見て検索を行う場合と比較して再生データの内容を容易に確認することができ、検索をより円滑に行うことができるという効果を奏する。
【００２２】
また、再生切替指示信号が所定時間以上継続しないときは現在再生中の再生データに代えて再生切替指示信号が出力された際に選択されている再生データの通常再生を行うようになっているので、一つの操作キーを操作することによって、再生データの検索から再生を行う再生データの切り替えまで行うことができ、ユーザにおける操作性が向上する。
【発明を実施するための最良の形態】
【００２３】
以下、図１から図７を参照しつつ、本発明に係る電子機器の一実施形態について説明する。
【００２４】
まず、図１に示すように、本実施形態において電子機器は、再生データとして音楽等の音声データの再生を行う携帯型音声再生装置１である。携帯型音声再生装置１には、筐体２と、筐体２の上部に配置されて各種情報を表示する表示手段としての表示部３と、筐体２の下部に配置されて各種操作が入力される操作手段としての操作部４とが設けられている。なお、筐体２の形状や、表示部３、操作部４の配置及び形状は、ここに例示したものに限定されない。
【００２５】
表示部３は、例えばＴＦＴ（Thin Film Transister）等を備えたＬＣＤ（Liquid Crystal Display：液晶ディスプレイ）によって構成されており、音声データに関する各種情報や音声データを検索するための検索項目等を表示するようになっている。なお、表示部３に表示される検索項目のうち、現在再生中である項目や現在選択されている項目については、例えば、表示部３上での文字が白黒反転表示やハイライト表示がされる等、当該項目が選択されていることが目視にて容易に判別できるようになっている。
【００２６】
操作部４には、例えば十字状に配列されたタクトキーからなる５つの操作キー５が備えられている。なお、以下の説明においては、図１における上側に配置された操作キー５を上キー５１と、下側に配置された操作キー５を下キー５２と、左側に配置された操作キー５を左キー５３と、右側に配置された操作キー５を右キー５４と、中央に配置された操作キー５を中央キー５５と称する。
【００２７】
操作キー５は、複数段階の入力操作に対応して複数段階の指示信号を出力可能な多段タクトキーを含んでおり、本実施形態においては、操作キー５のうち、上キー５１及び下キー５２は２段階の入力操作を行うことのできる２段タクトキーとなっている。
【００２８】
図２は、上キー５１及び下キー５２の概略構成を表す側断面図であり、図３は、下面図である。この図２及び図３に示すように、上キー５１及び下キー５２には、筐体２内の基板６から立設する立設部７と、立設部７により支持された状態で、指等で押圧されることにより撓む押圧部８と、押圧部８の下面から下方に向けて延在し、押圧部８の撓みに連動して基板６上の接点群９に接離する接離部１０とが設けられている。
【００２９】
接離部１０は、例えばゴム等の弾性体により円柱状に形成され、その下部が球面状となるように形成されている。接離部１０の下部の球面状部には、弾性変形可能な導電体層１１が形成されている。
【００３０】
図４は、接点群９の配置パターンの一例を示す上面図である。図４や図２に示すように、接点群９は点状のＩＮ接点９１と、ＩＮ接点９１を中心とした多重の円弧状のＯＵＴ接点９２とから構成されている。
【００３１】
ここで、押圧部８が押圧されて撓むと、その撓みによって接離部１０の導電体層１１は、基板６上の接点群９に接触する位置まで押し下げられる。そして、押圧部８がさらに強く押圧されると、これに伴って接離部１０は徐々に弾性変形し、導電体層１１が基板６上の接点群９と順次接触するようになっている。このとき、接離部１０の導電体層１１がＩＮ接点９１と最内のＯＵＴ接点９２とに接触しこれらを導通させると、電圧値Ａ値である第１の指示信号（以下「第１指示信号」と称する。）が出力されることになる。そして、押圧部８に対する押圧力が強くなって、導電体層１１がＩＮ接点９１と最内のＯＵＴ接点９２及びその他のＯＵＴ接点９３とに接触しこれらを導通させると、電圧値Ａ値よりも大きな電圧値Ｂ値である第２の指示信号（以下「第２指示信号」と称する。）が出力されるようになっている。このように、上キー５１及び下キー５２は、押圧力に対応して少なくとも２種類の指示信号を出力するようになっている。
なお、本実施形態においては、上キー５１及び下キー５２は、操作キー５を押下する押圧力に応じて２段階の入力操作が可能なものとして説明するが、上キー５１及び下キー５２は少なくとも２段階の入力操作が可能なものであればよく、押圧力の違いにより段階が切り替わる構成のものに限定されない。
【００３２】
上キー５１及び下キー５２以外の操作キー５は、図２及び図４に示したのと同様の基板（図示せず）上に、例えば点状のＩＮ接点と、ＩＮ接点を中心とした一重の円弧状のＯＵＴ接点（いずれも図示せず）のみが設けられた１段のタクトキーであり、操作キー５の接離部に形成された導電体層（いずれも図示せず）が基板上のＩＮ接点とＯＵＴ接点とに接触しこれらを導通させると、所定の指示信号が出力されるようになっている。なお、上キー５１及び下キー５２以外の操作キー５は、ＯＵＴ接点が複数設けられていないことの他は、上キー５１及び下キー５２と同様の構成となっているため、その説明を省略する。
【００３３】
なお、本実施形態においては、上キー５１と下キー５２のみが２段タクトキーである場合を例として説明するが、上キー５１及び下キー５２以外の操作キー５が２段タクトキーであってもよいし、全ての操作キー５が２段タクトキーであってもよい。
【００３４】
図５は、携帯型音声再生装置１の主制御構成を表す要部ブロック図である。この図５に示すように携帯型音声再生装置１には各部を制御する制御手段としての制御部２０が設けられており、当該制御部２０には、例えば半導体メモリやＨＤＤ等で構成される記憶部１２と、前記表示部３と、操作部４とが電気的に接続されている。
【００３５】
本実施形態において、記憶部１２には、再生データとして多数の音声データが、例えばアーティストやアルバム等同じ条件毎にグループ化されて記憶されている。また、記憶部１２には、音声データとともに、当該音声データの付帯情報として表示情報データが各音声データと関連付けられて記憶されている。ここで、表示情報データとは、表示部３に表示させる検索項目の一覧表示等を作成する際の基礎となるデータであり、再生を行う音声データを含む各音声データのタイトル名やアーティスト名、アルバム名、ジャンル名、再生時間、記録日時、格納フォルダ／ファイル位置情報等が含まれている。
【００３６】
制御部２０には、各種の制御プログラムや制御データを格納するＲＯＭ（Read Only Memory）２６、各種のデータ等を一時記憶するＲＡＭ（Random Access Memory）２７、及び各種プログラムをＲＡＭ２７の作業領域に展開してプログラムを実行するＣＰＵ（Central Processing Unit）２８とが備えられている。また、図５に示すように、本実施形態において制御部２０には、割り込みコントローラ２１と、通信部２２と、再生手段としての音声処理部２３と、Ｄ／Ａ変換器２４と、Ａ／Ｄ変換器２５とが備えられている。
【００３７】
また、制御部２０には、例えば、上キー５１又は下キー５２から第１指示信号や第２指示信号が出力されてからの経過時間を計時したり、一部再生を行う場合に一部再生を開始してからの経過時間を計時する計時手段３１が備えられている。
【００３８】
割り込みコントローラ２１は、操作部４の操作キー５とＣＰＵ２８とに電気的に接続されていて、操作部４から指示信号が出力されると当該指示信号を割り込ませてＣＰＵ２８に出力する。
【００３９】
通信部２２は、例えばＵＳＢ端子であり、ＣＰＵ２８及び記憶部１２と電気的に接続されている。そして通信部２２は、音声データを管理するＰＣ等の外部機器（図示せず）にケーブルを介して接続されることで、当該外部機器と通信し、ＣＰＵ２８及び記憶部１２に通信によって得た信号を出力するようになっている。なお、通信部２２は、外部機器と通信して信号を受け取ることのできるものであればよく、ＵＳＢ端子である場合に限定されない。
【００４０】
音声処理部２３は、ＣＰＵ２８の制御に基づいて音声データをデジタル信号で再生し、Ｄ／Ａ変換器２４に出力する。Ｄ／Ａ変換器２４には、例えばスピーカやヘッドホン等の音声出力機器（図示せず）と接続可能な出力端子２９が電気的に接続されており、Ｄ／Ａ変換器２４は、音声処理部２３により再生された音声データをアナログ信号に変換し、出力端子２９を介して出力することで、出力端子２９に接続された前記音声出力機器から音声データを出力させる。
【００４１】
Ａ／Ｄ変換器２５には、ＣＰＵ２８が電気的に接続されているとともに、例えばＣＤプレイヤーやＭＤプレイヤー、マイク等の外部の音声再生装置及びリモコン（いずれも図示せず）と接続可能な入力端子３０が電気的に接続されている。前記外部の音声再生装置及びリモコンは入力端子３０を介してＡ／Ｄ変換器２５と接続され、Ａ／Ｄ変換器２５は、音声再生装置から入力されたアナログ音声信号や、リモコンから入力されたアナログ指示信号をデジタル信号に変換して、ＣＰＵ２８に出力する。
【００４２】
ＣＰＵ２８は、前述のようにＲＯＭ２６の中に格納されている制御プログラムや制御データをＲＡＭ２７に展開し実行するものである。本実施形態において、ＣＰＵ２８によって実行される制御プログラムとしては、例えば、操作部４からの指示信号に基づいて、表示部３に表示された検索項目のスクロールや、音声データの一部再生等を実行するプログラムが含まれている。
【００４３】
本実施形態において、このプログラムは、ＣＰＵ２８が携帯型音声再生装置１の各部を制御することにより、各操作キー５からの指示信号に基づいて、音声データの検索に必要な検索項目を表示部３に表示させたり、検索項目のスクロール、音声データの一部再生等の処理を実行させるようになっている。以下このプログラムについて詳説する。
【００４４】
まず、操作部４の各操作キー５により入力される指示信号は、各種指示のそれぞれと対応付けられている。
本実施形態において、左キー５３又は右キー５４により入力される指示信号は、検索項目の一覧表示の作成を指示する指示信号とされ、音楽再生中に左キー５３又は右キー５４によりこの指示信号が入力されると、ＣＰＵ２８は、ＲＡＭ２７に格納された表示情報データにアクセスし、この表示情報データに基づいて検索項目の一覧表示を作成する。そして、ＣＰＵ２８は、音声データの再生の出力を継続しながら、検索項目の一覧表示を表示部３に表示させるようになっている。
【００４５】
また、表示部３に検索項目が表示されている状態で上キー５１又は下キー５２から入力された指示信号が第１指示信号でありかつ短押し（上キー５１又は下キー５２の押下により指示信号が出力されてから出力が継続している時間が所定の閾値よりも短い場合）であるときは、現在再生中の音声データの再生動作を継続させながら表示部３に表示された検索項目を１項目ずつスクロールさせる指示信号とされ、上キー５１又は下キー５２からの第１指示信号が長押し（上キー５１又は下キー５２の押下により指示信号が出力されてから出力が継続している時間が所定の閾値よりも長い場合）であるときは同様に現在再生中の音声データの再生動作を継続させながら検索項目を連続的にスクロールさせる指示信号とされている。
この際、指示信号が上キー５１から入力されたときは上方向にスクロールし、指示信号が下キー５２から入力されたときには下方向にスクロールするように、各操作キー５とスクロール動作の方向とが対応付けられている。
スクロールを行うことによって検索項目中の選択されている項目が順次移動していくときは、選択されている項目が表示部上で順次反転表示され、現在どの項目が選択されているかが目視にて判別できるようになっている。
【００４６】
また、同様に、検索項目が表示されている状態で上キー５１又は下キー５２から入力された指示信号が第２指示信号でありかつ短押しであるときは、現在再生している音声データの再生を停止させ、これに代えて検索項目中の選択されている項目を通常再生させる指示信号とされ、上キー５１又は下キー５２からの第２指示信号が長押しであるときは現在再生曲として選択されている曲を停止させて検索項目を順次スクロールさせながら各検索項目に対応する音声データの始めの３〜５秒のみを一部再生させる指示信号とされている。
なお、検索項目を順次スクロールしながら各音声データの一部再生を行う場合には、指示信号が上キー５１から入力されたときは上方向にスクロールし、指示信号が下キー５２から入力されたときには下方向にスクロールするように、各操作キー５とスクロール動作の方向とが対応付けられている。
【００４７】
次に、本実施形態において、ＣＰＵ２８は、上キー５１又は下キー５２の押下により第１指示信号や第２指示信号が出力されてから出力が継続している時間が所定の閾値よりも長い「長押し」か、所定の閾値よりも短い「短押し」か、を判断するようになっている。すなわち、例えばＲＯＭ２６には、出力された指示信号が長押しか短押しかを判断する規準となる閾値データが格納されており、第１指示信号や第２指示信号が出力されると、ＣＰＵ２８は、指示信号が出力されてからの出力継続時間を計時手段３１によって計時するとともに、前記閾値データをＲＯＭ２６から読み出してＲＡＭ２７の作業領域に展開し、この閾値データを参照しつつ出力された指示信号が長押しか短押しかの判断を行う。そして、ＣＰＵ２８は、各指示信号が長押しか短押しかに応じて各部の制御を行うようになっている。なお、どの程度の時間、指示信号の出力が継続している場合に長押しと判断するかは、予め設定されている場合に限定されず、ユーザ等が事後的に設定、変更可能なものとしてもよい。
【００４８】
さらに、本実施形態においては、音声データの一部再生を行う場合の再生時間が予め設定されており、ＣＰＵ２８は、ある音声データについて一部再生が開始されると、開始時からの経過時間を計時手段３１によって計時するとともに、計時手段３１によって計時された時間が予め定められた一部再生を行う場合の再生時間に達したか否かを常に判断し、所定の時間再生が行われると、当該項目についての一部再生が終了したと判断するようになっている。なお、音声データの一部再生を行う場合の再生時間は予め設定されている場合に限定されず、ユーザ等が事後的に設定、変更可能なものとしてもよい。
【００４９】
なお、本実施形態においては、例えば、中央キー５５等の所定の操作キー５をユーザが押下すること等により音声データの再生を開始する指示信号が出力されたときは、ＣＰＵ２８は、再生開始を指示された音声データとともに再生を行う音声データを含む全ての音声データに関する表示情報データを記憶部１２から取得して、ＲＡＭ２７の中に格納するようになっている。
【００５０】
次に、本実施形態の携帯型音声再生装置１で実行される再生方法について図６及び図７のフローチャートを参照しつつ説明する。
【００５１】
図６に示すように、再生状態切換プログラムが実行されると、ＣＰＵ２８は操作部４の左キー５３又は右キー５４から指示信号が入力されたか否かを判断する（ステップＳ１）。指示信号が入力されたと判断した場合には（ステップＳ１；ＹＥＳ）、ＣＰＵ２８は、さらに表示部３に検索項目が表示されているかを判断する（ステップＳ２）。ＣＰＵ２８が表示部３に検索項目が表示されていないと判断するときは（ステップＳ２；ＮＯ）、ＣＰＵ２８は、ＲＡＭ２７に格納された表示情報データに基づいて現在再生中の音声データに関する情報を含む全音声データに関する検索項目を作成し、表示部３に表示させる（ステップＳ３）。ＣＰＵ２８が表示部３に検索項目が表示されていると判断するときは（ステップＳ２；ＹＥＳ）、検索項目表示中に左キー５３又は右キー５４から信号が入力された場合の所定の処理動作を行うようにＣＰＵ２８が各駆動部を制御する（ステップＳ４）。
他方、ＣＰＵ２８が左キー５３又は右キー５４から指示信号が入力されていないと判断した場合には（ステップＳ１；ＮＯ）、ＣＰＵ２８は、上キー５１又は下キー５２からの第１指示信号の入力がないかを判断し（ステップＳ５）、入力がない場合には（ステップＳ５；ＮＯ）、上キー５１又は下キー５２からの第２指示信号の入力がないかを判断し（ステップＳ６）、入力がない場合には（ステップＳ６；ＮＯ）、ＣＰＵ２８は、さらに中央キー５５からの指示信号の入力がないかを判断する（ステップＳ７）。
上キー５１又は下キー５２から第１指示信号又は第２指示信号が入力された場合（ステップＳ５又はステップＳ６；ＹＥＳ）、又は中央キー５５から指示信号が入力された場合（ステップＳ７；ＹＥＳ）には、表示部３に検索項目が表示されていない場合の処理として各指示信号に対応付けられている各種処理を行うようにＣＰＵ２８が各部を制御する（ステップＳ４）。また、中央キー５５からも指示信号の入力がないと判断されるときには（ステップＳ７；ＮＯ）、上記処理が始めから繰り返される。
【００５２】
次に、図７に示すように、検索項目が表示部３に表示された状態で操作キー５の操作が行われると、ＣＰＵ２８は、上キー５１又は下キー５２からの第１指示信号の入力があったか否かを判断する（ステップＳ８）。第１指示信号の入力があったときには（ステップＳ８；ＹＥＳ）、ＣＰＵ２８はこの第１指示信号が入力されてからの経過時間を計時手段３１によって計時する。そして、ＣＰＵ２８は所定の閾値を参照しつつ、経過時間が一定の閾値を超えているか否かによって第１指示信号が所定時間継続している長押しか所定時間未満である短押しかを判断する（ステップＳ９）。
長押しで第１指示信号が入力されたときは（ステップＳ９；ＹＥＳ）、ＣＰＵ２８は、連続的に検索項目のスクロールを行うように表示部３を制御する（ステップＳ１０）。また、短押しで第１指示信号が入力されたときは（ステップＳ９；ＮＯ）、ＣＰＵ２８は、一項目ずつ検索項目のスクロールを行うように表示部３を制御する（ステップＳ１１）。
なお、上キー５１から指示信号が入力されたときは上方向のスクロールが行われ、下キー５２から指示信号が入力されたときは下方向のスクロールが行われる。
検索項目のスクロールを行っている間、ＣＰＵ２８は随時上キー５１又は下キー５２からの第２指示信号が入力されないかを判断する（ステップＳ１２）。上キー５１又は下キー５２からの第２指示信号が入力されないときは（ステップＳ１２；ＮＯ）、さらに、上キー５１又は下キー５２からの第１指示信号の入力が継続されているかを判断する（ステップＳ１３）。すなわち、検索項目のスクロール実行中、上キー５１又は下キー５２から第１指示信号の入力が継続している間は（ステップＳ１３；ＹＥＳ）、ＣＰＵ２８は、ステップＳ９に戻って第１指示信号の入力継続時間に応じて連続的又は一項目ずつの検索項目のスクロール動作を継続して実行させる。第１指示信号の入力がなくなったときには（ステップＳ１３；ＮＯ）、ＣＰＵ２８は検索項目のスクロールを停止させる（ステップＳ１４）。
【００５３】
他方、上キー５１又は下キー５２から第１指示信号の入力がないときには（ステップＳ８；ＮＯ）、ＣＰＵ２８は上キー５１又は下キー５２から第２指示信号が入力されていないかを判断し（ステップＳ１５）、第２指示信号が入力されたと判断したときは（ステップＳ１５；ＹＥＳ）、この第２指示信号が入力されてからの経過時間を計時手段３１によって計時する。そして、ＣＰＵ２８は所定の閾値を参照しつつ、経過時間が一定の閾値を超えているか否かによって第２指示信号が所定時間継続している長押しか所定時間未満である短押しかを判断する（ステップＳ１６）。
また、検索項目のスクロール動作実行中（ステップＳ１０又はステップＳ１１）に第２指示信号が入力されたとき（ステップＳ１２；ＹＥＳ）にも、第１指示信号の入力がないときに第２指示信号が入力された場合（ステップＳ１５；ＹＥＳ）と同様に、第２指示信号が長押しか短押しかを判断する（ステップＳ１６）。
第２指示信号が入力されてから所定の時間が経過し長押しであると判断されるときは（ステップＳ１６；ＹＥＳ）、第２指示信号が入力された時点で検索項目のうちから選択されている項目について表示情報データに含まれている音声データの格納フォルダ／ファイル位置情報に基づいて音声データの格納されている位置を特定し、記憶部１２の中から当該音声データを読み出して取得する（ステップＳ１７）。音声データを取得すると、ＣＰＵ２８は現在再生中の音声データの通常再生を停止させて（ステップＳ１８）、選択された項目についての音声データに基づき、予め設定されている時間だけ当該音声データの一部再生を行うように音声処理部２３を制御する（ステップＳ１９）。ＣＰＵ２８は、予め設定されている時間一部再生が行われたかを常に判断し（ステップＳ２０）、所定の時間に達していないとき（ステップＳ２０；ＮＯ）には、さらに一部再生を続けるように制御を行う。
所定の時間一部再生が行われたと判断されるときは（ステップＳ２０；ＹＥＳ）、ＣＰＵ２８は、第２指示信号が継続されているか否かを判断し（ステップＳ２１）、第２指示信号が継続して入力されているときには（ステップＳ２１；ＹＥＳ）、表示部３に表示されている検索項目中現在選択されている項目の次に位置する項目を新たに選択された項目とし（ステップＳ２２）、以下ステップＳ１７以降の処理を繰り返す。
【００５４】
第２指示信号の入力が継続していないとＣＰＵ２８が判断した場合には（ステップＳ２１；ＮＯ）、新たな第２指示信号の入力があったか否かをさらに判断し（ステップＳ２３）、新たな指示信号の入力がないと判断される場合は（ステップＳ２３；ＮＯ）、ＣＰＵ２８は、中止されていた音声データの通常再生を再開するように音声処理部２３を制御する（ステップＳ２４）。他方、新たな第２指示信号の入力があったと判断されるときには（ステップＳ２３；ＹＥＳ）、再度ステップＳ１６に戻り、第２指示信号の入力が長押しか短押しかが判断される。
【００５５】
第２指示信号の入力継続時間が所定時間未満であり短押しであると判断されるときは（ステップＳ１６；ＮＯ）、ＣＰＵ２８は、第２指示信号が入力された時点で検索項目のうちから選択されている項目について表示情報データに含まれている音声データの格納フォルダ／ファイル位置情報に基づいて音声データの格納されている位置を特定し、記憶部１２の中から当該音声データを読み出して取得する（ステップＳ２５）。音声データを取得すると、ＣＰＵ２８は現在再生中の音声データの通常再生を停止させて（ステップＳ２６）、選択された項目についての音声データを曲頭から通常再生するように音声処理部２３を制御する（ステップＳ２７）。
【００５６】
上キー５１又は下キー５２から第１指示信号も第２指示信号も入力されていないときには（ステップＳ８及びステップＳ１５；ＮＯ）、ＣＰＵ２８は、さらに中央キー５５から指示信号の入力があるか否かを判断する（ステップＳ２８）。中央キーから指示信号の入力があったと判断する場合には、指示信号の入力時に選択されている項目についての音声データの位置を表示情報データに含まれている音声データの格納フォルダ／ファイル位置情報に基づいて音声データの格納されている位置を特定し、記憶部１２の中から当該音声データを読み出して取得する（ステップＳ２５）。音声データを取得すると、ＣＰＵ２８は現在再生中の音声データの通常再生を停止させて（ステップＳ２６）、選択された項目についての音声データを曲頭から通常再生するように音声処理部２３を制御する（ステップＳ２７）。
【００５７】
上キー５１、下キー５２、中央キー５５のいずれからも指示信号が入力されていない場合には（ステップＳ２８；ＮＯ）、ＣＰＵ２８は再度ステップＳ８に戻って上キー５１又は下キー５２からの指示信号が入力されていないかの判断を行い、判断結果に基づいて各処理が行われる。
【００５８】
以上のように、本実施の形態によれば、上キー５１及び下キー５２は、押圧力に対応して２種類の指示信号を出力する２段タクトキーであるので、押圧力を異ならせることで異種の指示信号を出力することができる。さらに、指示信号が出力されている継続時間、すなわち、操作キー５を押下している時間によって、長押し、短押しを区別して、それぞれに異なった指示内容を対応付けている。これにより、一つの操作キー５によって指示できる内容が多くなるため、操作部４に設ける操作キー５の数を減らすことができ、その分装置を小型化することが可能となる。
【００５９】
また、一つの操作キー５に複数の役割を持たせて、少ないキー操作で装置を動作させることができるため、ＨＤＤを備える小型の再生装置のように片手で操作することの多い携帯型音声再生装置１においても複数の操作を容易に行うことができ、操作性の向上を図ることができる。
【００６０】
また、押圧力の弱い場合には上キー５１、下キー５２ともそれぞれ各方向に向かっての単なるスクロールを指示する第１指示信号を出力し、押圧力の強い場合には上キー、下キーともスクロール方向に順次一項目ずつの一部再生等を指示する第２指示信号を出力するようになっている。このため、押圧力の強弱と操作内容とが対応付けられている。さらに、指示信号の入力時間の長い長押しの場合には連続的なスクロール、入力時間の短い短押しの場合には一項目ずつの項目移動というように、操作キーを押下して指示信号が継続している時間と操作内容とがそれぞれ対応付けられている。これにより、連続的なスクロールによる検索項目の移動量と、連続的なスクロールに比べて項目の移動量の少ない一項目ずつの項目移動とが押下時間に対応して実行されることになるので、これらの操作を直感的に行うことが可能となり、操作性をさらに高めることができる。
【００６１】
また、検索中に上キー５１又は下キー５２を短押しして第２指示信号を出力させることにより、他の操作キー５を別途操作することなく通常再生を行う音声データを検索により選択したものに切り替えることができるので、検索動作から検索の結果選択した音声データの再生動作への切り替えを容易かつ迅速に行うことができ、操作性を向上させることができる。
【００６２】
なお、本実施形態においては、再生データとして音声データを例示して説明したが、例えば、これ以外にも動画データや、静止画データを再生データとすることも可能である。すなわち、本実施形態では、電子機器として携帯型の音声再生装置を例示して説明しているが、電子機器はこれに限られるものではなく、これ以外にも例えば動画再生装置や静止画再生装置等それ専用の電子機器や、動画、音楽、静止画等の少なくとも２つを再生する複合式の再生用電子機器、或いは携帯電話、携帯型ゲーム機やＰＤＡ等のような各種再生機能を有した携帯型の電子機器に対しても本発明の構成を適用することが可能である。
【００６３】
また、本実施形態においては、操作部４の各操作キー５が２段タクトキーである場合を例示して説明したが、３段以上のタクトキーを適用することも可能である。
また、本実施形態では、操作部４に上キー５１、下キー５２、左キー５３、中央キー５５という５つの操作キー５を備えるものとしたが、操作キー５の数はここに例示したものに限定されない。
【００６４】
その他、本発明が本実施形態に限らず適宜変更可能であるのは勿論である。
【図面の簡単な説明】
【００６５】
【図１】本発明に係る電子機器の一実施形態である携帯型音声再生装置の概略構成を表す正面図である。
【図２】図１に示した携帯型音声再生装置に備わる操作キーの概略構成を表す側断面図である。
【図３】図２に示した操作キーの概略構成を表す下面図である。
【図４】図２に示した操作キーに備わる接点群の配線パターンの一例を示す上面図である。
【図５】図１に示した携帯型音声再生装置の主制御構成を表すブロック図である。
【図６】図１に示した携帯型音声再生装置の動作を表すフローチャートである。
【図７】図１に示した携帯型音声再生装置の動作を表すフローチャートである。
【符号の説明】
【００６６】
１  携帯型音声再生装置
３  表示部
４  操作部
５  操作キー
１２  記憶部
２０  制御部
２３  音声処理部
２６  ＲＯＭ
２７  ＲＡＭ
２８  ＣＰＵ
３１  計時手段
５１  上キー
５２  下キー
５３  左キー
５４  右キー
５５  中央キー
【図１】
2007095184.tif 000003
【図２】
2007095184.tif 000004
【図３】
2007095184.tif 000005
【図４】
2007095184.tif 000006
【図５】
2007095184.tif 000007
【図６】
2007095184.tif 000008
【図７】
2007095184.tif 000009